(57)【要約】【課題】高信頼の著作権保護を行いながら、情報データを合法的に流通させることができる情報流通システムが望まれている。【解決手段】提供者用装置３３と、購入者用装置３０と、提供する情報データを格納する仲介者用情報記録手段１９を有する仲介者用装置３１と、著作権者用装置３２とを備えた情報流通システムであって、提供者用装置３３は、入金に関する情報を受信する入金通知受信手段５を有し、購入者用装置３０は、ダウンロードした情報データに関する情報を通知する管理手段１２を有し、著作権者用装置３２は、入金に関する情報を受信する入金情報送受信手段１４を有し、購入する情報データのダウンロードが完了した場合、管理手段１２は、ダウンロードした情報データに関する情報を、入金通知受信手段５と入金情報送受信手段１４に、直接または間接に通知する。【選択図】  図１
2004341868.tif 000002
【特許請求の範囲】
【請求項１】
提供する情報データをアップロードするアップロード手段を有する提供者用装置と、
前記提供者用装置から提供される情報データを格納する仲介者用情報記録手段を有する仲介者用装置と、
購入する情報データを前記仲介者用情報記録手段からダウンロードするダウンロード手段と、前記ダウンロードした情報データを格納する購入者用情報記録手段とを有する購入者用装置と、
入金に関する情報を受信できる著作権者用装置とを備えた情報流通システムであって、
前記提供者用装置は、前記提供者用装置に対する入金に関する情報を受信する入金通知受信手段を有し、
前記購入者用装置は、ダウンロードした情報データに関する情報を通知する管理手段を有し、
前記著作権者用装置は、前記著作権者用装置に対する入金に関する情報を受信する入金情報送受信手段を有し、
前記購入する情報データのダウンロードが完了した場合、前記管理手段は、前記ダウンロードした情報データに関する情報を、前記入金通知受信手段と前記入金情報送受信手段に、直接または間接に通知する、情報流通システム。
【請求項２】
さらに、前記購入者用装置は、出金に関する情報を受信する課金通知受信手段を有し、
前記仲介者用装置は、情報データのダウンロード回数に応じた各装置の入出金額を算出する課金分配手段と、所定のタイミングで、前記提供者用装置に対する入金に関する情報を前記入金通知受信手段に、前記著作権者用装置に対する入金に関する情報を前記入金情報送受信手段に、前記購入者用装置に対する出金に関する情報を前記課金通知受信手段に、それぞれ通知する制御手段とを有する、請求項１に記載の情報流通システム。
【請求項３】
前記入金通知受信手段と前記課金通知受信手段と前記入金情報送受信手段は、それぞれが、前記管理手段により通知された前記情報データに関する情報から前記所定のタイミングにおける入出金額を算出し、前記算出した入出金額と前記制御手段から通知された前記入金に関する情報または前記出金に関する情報とを照合する、請求項２に記載の情報流通システム。
【請求項４】
前記入金情報送受信手段は、前記著作権者用装置に対する入金に関する情報を前記制御手段から受信したタイミングで、ダウンロードが完了した場合に前記管理手段から直接または間接に受信した前記ダウンロードした情報データに関する情報を、前記提供者用管理手段に通知し、
前記提供者用管理手段は、前記入金情報送受信手段から受信した前記ダウンロードした情報データに関する情報を、前記制御手段から受信した前記提供者用装置に対する入金に関する情報と照合する、請求項２または請求項３に記載の情報流通システム。
【請求項５】
前記制御手段は、前記購入者用情報記録手段に情報データがダウンロードされる際に、前記情報データにコピーを防止するためのコピー制御情報を付加する、請求項２乃至４のいずれかに記載の情報流通システム。
【請求項６】
さらに、前記仲介者用装置は、購入可能な情報データの情報を有する、前記購入者用装置から参照可能な提供情報データリストと、購入者が購入を希望している情報データの情報を有する、前記提供者用装置から参照可能な購入者リストとを有し、
前記購入者用装置は、購入を希望する情報データの情報を前記購入者リストに追加する登録手段を有する、請求項１乃至５のいずれかに記載の情報流通システム。
【請求項７】
前記提供者用装置と前記購入者用装置と前記仲介者用装置と前記著作権者用装置とは、いずれもコンピュータであり、前記いずれのコンピュータにも情報流通システム用のソフトウェアがインストールされている、請求項１乃至６のいずれかに記載の情報流通システム。
【請求項８】
前記提供者用装置と前記購入者用装置と前記仲介者用装置と前記著作権者用装置のコンピュータは、いずれもブラウザで動作する、請求項７に記載の情報流通システム。
【請求項９】
提供者用装置によって、提供する情報データをアップロードするステップと、
前記提供者用装置から提供される情報データを仲介者用情報記録手段に格納するステップと、
購入者用装置によって、購入する情報データを前記仲介者用情報記録手段からダウンロードするステップと、
前記ダウンロードした情報データを購入者用情報記録手段に格納するステップと、
著作権者用装置によって、入金に関する情報を受信するステップとを備え、
前記購入する情報データのダウンロードが完了した場合、前記ダウンロードした情報データに関する情報を、前記購入者用装置から前記提供者用装置と前記著作権者用装置に、直接または間接に通知する、情報流通管理方法。
【請求項１０】
提供される情報データが提供者用装置からアップロードされて格納された仲介者用情報記録手段から、購入する情報データをダウンロードするダウンロード手段と、
前記ダウンロードした情報データを格納する購入者用情報記録手段とを備えた購入者用装置において、
前記購入する情報データのダウンロードが完了した場合、前記ダウンロードした情報データに関する情報を、前記提供者用装置と入金に関する情報を受信できる著作権者用装置とに、直接または間接に通知する管理手段を備えた購入者用装置。
【請求項１１】
請求項１に記載の、提供する情報データをアップロードする、提供者用装置の有するアップロード手段と、
購入する情報データをダウンロードする、購入者用装置の有するダウンロード手段と、
前記ダウンロードした情報データを格納する、前記購入者用装置の有する購入者用情報記録手段と、
前記提供者用装置から提供される情報データを格納する、仲介者用装置の有する仲介者用情報記録手段と、
前記提供者用装置に対する入金に関する情報を受信する、前記提供者用装置の有する入金通知受信手段と、
著作権者用装置に対する入金に関する情報を受信する、前記著作権者用装置の有する入金情報送受信手段と、
前記購入する情報データのダウンロードが完了した場合、前記ダウンロードした情報データに関する情報を、前記入金通知受信手段と前記入金情報送受信手段に、直接または間接に通知する、前記購入者用装置の有する管理手段として、コンピュータを機能させるためのプログラム。
【請求項１２】
提供する情報データを格納する提供者用情報記録手段と、前記提供者用情報記録手段に格納された前記情報データのダウンロードの許可を受信する提供者用管理手段とを有する提供者用装置と、
情報データの購入要求を出す管理手段と、前記購入する情報データを前記提供者用情報記録手段からダウンロードするダウンロード手段と、前記ダウンロードした情報データを格納する購入者用情報記録手段とを有する購入者用装置と、
前記購入要求を受けて前記提供者用情報記録手段に格納された情報データのダウンロードの許可を出す制御手段を有する仲介者用装置と、
入金に関する情報を受信できる著作権者用装置とを備えた情報流通システムであって、
前記提供者用装置は、前記提供者用装置に対する入金に関する情報を受信する入金通知受信手段を有し、
前記著作権者用装置は、前記著作権者用装置に対する入金に関する情報を受信する入金情報送受信手段を有し、
前記購入する情報データのダウンロードが完了した場合、前記管理手段は、ダウンロードした情報データに関する情報を、前記入金通知受信手段と前記入金情報送受信手段に、直接または間接に通知する、情報流通システム。
【請求項１３】
さらに、前記購入者用装置は、出金に関する情報を受信する課金通知受信手段を有し、
前記仲介者用装置は、情報データのダウンロード回数に応じた各装置の入出金額を算出する課金分配手段を有し、
前記制御手段は、所定のタイミングで、前記提供者用装置に対する入金に関する情報を前記入金通知受信手段に、前記著作権者用装置に対する入金に関する情報を前記入金情報送受信手段に、前記購入者用装置に対する出金に関する情報を前記課金通知受信手段に、それぞれ通知する、請求項１２に記載の情報流通システム。
【請求項１４】
前記入金通知受信手段と前記課金通知受信手段と前記入金情報送受信手段は、それぞれが、前記管理手段により通知された前記情報データに関する情報から前記所定のタイミングにおける入出金額を算出し、前記算出した入出金額と前記制御手段から通知された前記入金に関する情報または前記出金に関する情報とを照合する、請求項１３に記載の情報流通システム。
【請求項１５】
前記入金情報送受信手段は、前記著作権者用装置に対する入金に関する情報を前記制御手段から受信したタイミングで、ダウンロードが完了した場合に前記管理手段から直接または間接に受信した前記ダウンロードした情報データに関する情報を、前記提供者用管理手段に通知し、
前記提供者用管理手段は、前記入金情報送受信手段から受信した前記ダウンロードした情報データに関する情報を、前記提供者用情報記録手段からダウンロードされた情報データに関する、前記提供者用装置が独自で管理する情報と照合する、請求項１３または請求項１４に記載の情報流通システム。
【請求項１６】
前記提供者用管理手段は、前記購入者用情報記録手段に情報データがダウンロードされる際に、前記情報データにコピーを防止するためのコピー制御情報を付加する、請求項１２乃至１５のいずれかに記載の情報流通システム。
【請求項１７】
さらに、前記仲介者用装置は、購入可能な情報データの情報を有する、前記購入者用装置から参照可能な提供情報データリストと、購入者が購入を希望している情報データの情報を有する、前記提供者用装置から参照可能な購入者リストとを有し、
前記購入者用装置は、購入を希望する情報データの情報を前記購入者リストに追加する登録手段を有する、請求項１２乃至１６のいずれかに記載の情報流通システム。
【請求項１８】
前記提供者用装置と前記購入者用装置と前記仲介者用装置と前記著作権者用装置とは、いずれもコンピュータであり、前記いずれのコンピュータにも情報流通システム用のソフトウェアがインストールされている、請求項１２乃至１７のいずれかに記載の情報流通システム。
【請求項１９】
前記提供者用装置と前記購入者用装置と前記仲介者用装置と前記著作権者用装置のコンピュータは、いずれもブラウザで動作する、請求項１８に記載の情報流通システム。
【請求項２０】
提供される情報データを提供者用情報記録手段に格納するステップと、
購入者用装置によって、情報データの購入要求を仲介者用装置に出すステップと、
前記購入要求を受けて前記提供者用情報記録手段に格納された情報データのダウンロードの許可を提供者用装置に出すステップと、
前記提供者用情報記録手段に格納された情報データのダウンロードの許可を受信するステップと、
購入者用装置によって、前記購入する情報データをダウンロードするステップと、
前記ダウンロードした情報データを購入者用情報記録手段に格納するステップと、
著作権者用装置によって、入金に関する情報を受信するステップとを備え、
前記購入する情報データのダウンロードが完了した場合、前記ダウンロードした情報データに関する情報を、前記購入者用装置から前記提供者用装置と前記著作権者用装置に、直接または間接に通知する、情報流通管理方法。
【請求項２１】
情報データの購入要求を仲介者用装置に出す管理手段と、
前記購入要求を受けて前記仲介者用装置から出される情報データのダウンロードの許可の提供者用装置による受信に応じて、提供される情報データが格納された提供者用情報記録手段から、前記購入する情報データをダウンロードするダウンロード手段と、
前記ダウンロードした情報データを格納する購入者用情報記録手段とを備えた購入者用装置において、
前記購入する情報データのダウンロードが完了した場合、前記ダウンロードした情報データに関する情報を、前記提供者用装置と入金に関する情報を受信できる著作権者用装置とに、直接または間接に通知する管理手段を備えた購入者用装置。
【請求項２２】
請求項１２に記載の、提供する情報データを格納する、提供者用装置の有する提供者用情報記録手段と、
前記提供者用情報記録手段に格納された前記情報データのダウンロードの許可を受信する、前記提供者用装置の有する提供者用管理手段と、
情報データの購入要求を出す、購入者用装置の有する管理手段と、
購入する情報データをダウンロードする、前記購入者用装置の有するダウンロード手段と、
前記ダウンロードした情報データを格納する、前記購入者用装置の有する購入者用情報記録手段と、
前記購入要求を受けて前記提供者用情報記録手段に格納された情報データのダウンロードの許可を出す、仲介者用装置の有する制御手段と、
前記提供者用装置に対する入金に関する情報を受信する、前記提供者用装置の有する入金通知受信手段と、
著作権者用装置に対する入金に関する情報を受信する、前記著作権者用装置の有する入金情報送受信手段と、
前記購入する情報データのダウンロードが完了した場合、ダウンロードした情報データに関する情報を、前記入金通知受信手段と前記入金情報送受信手段に、直接または間接に通知する、前記購入者用装置の有する管理手段として、コンピュータを機能させるためのプログラム。
【請求項２３】
請求項１１または請求項２２に記載のプログラムを担持した記録媒体であって、コンピュータで利用可能な記録媒体。
【発明の詳細な説明】
【０００１】
【発明の属する技術分野】
本発明は、著作権を有する情報データを流通させる、情報流通システム、情報流通管理方法および購入者用装置に関するものである。
【０００２】
【従来の技術】
従来の情報流通システムにおける情報データの流通方法は、著作権的に解決されている正規の流通ルートでのネット販売においては、販売業者が事業として成立するタイトルのみを販売するものである。ここで、タイトルとは、ＤＶＤに記録された映画の中身、ＣＤに記録された音楽の中身、放送の番組等をいう。
【０００３】
また、インターネット等のネットワーク経由で著作権者に無断でお互いの所持する情報データのコピーをやり取りしている場合もあり、欲しいものを探す場合にはオークション等で根気よく探すというものであった。
【０００４】
また、コンテンツ提供者が仲介業者を経由して流通させるものもある（例えば、特許文献１参照）。
【０００５】
【特許文献１】
特開２００２−２５９３８１号公報
【０００６】
【発明が解決しようとする課題】
しかしながら、上記従来の流通方法では、例えば廃盤になったタイトルや個人が作成したコンテンツや個人が撮影録音した画像、映像、音声等は入手することができない。ここで、コンテンツとは、実際の映像や音声以外の作られたものをいい、例えばアニメやゲーム等である。そして、情報データとは、映像、音声、画像、コンテンツ等の全てを含むものをいう。
【０００７】
また、従来の情報流通システムはユーザーのニーズを完全に満たしたものではなく、販売業者の採算や合理性といった一方的な理由により成り立っているシステムであり、一部のマニア層向けに相当するような、金額に関係なく入手したいような情報データの場合には入手したくても入手することが容易にできなかった。
【０００８】
また、著作権者に無断でお互いの所持する情報データのコピーをやり取りする場合は、当然違法となってしまう。同様にオークションの場合、メディアそのものをやり取りするのは問題ないが、著作権があるメディアをコピーしてやり取りすれば問題となる。
【０００９】
また、特許文献１のコンテンツ配信システムでは、利用者が入手した情報データを著作権者の承認なしでコピーして再配布する等、著作権者に相当の利益が入らない場合はトラブルになる場合も考えられる。そして、著作権が放棄されたものだけ扱うとすれば、流通させることができる情報データの量が絶対的に少量となってしまう。
【００１０】
また、従来の人間の手による管理では抜けがあったり、悪意でいい加減な管理をするケースが発生する可能性がある。つまり、コピー回数およびコピー制御がシステムとして自動的に管理されないため信頼性に欠けていた。
【００１１】
本発明は、上記従来の課題に鑑み、高信頼の著作権保護を行いながら、情報データを合法的に流通させる、情報流通システム、情報流通管理方法および購入者用装置を提供することを目的とする。
【００１２】
【課題を解決するための手段】
上述した課題を解決するために、第１の本発明は、
提供する情報データをアップロードするアップロード手段を有する提供者用装置と、
前記提供者用装置から提供される情報データを格納する仲介者用情報記録手段を有する仲介者用装置と、
購入する情報データを前記仲介者用情報記録手段からダウンロードするダウンロード手段と、前記ダウンロードした情報データを格納する購入者用情報記録手段とを有する購入者用装置と、
入金に関する情報を受信できる著作権者用装置とを備えた情報流通システムであって、
前記提供者用装置は、前記提供者用装置に対する入金に関する情報を受信する入金通知受信手段を有し、
前記購入者用装置は、ダウンロードした情報データに関する情報を通知する管理手段を有し、
前記著作権者用装置は、前記著作権者用装置に対する入金に関する情報を受信する入金情報送受信手段を有し、
前記購入する情報データのダウンロードが完了した場合、前記管理手段は、前記ダウンロードした情報データに関する情報を、前記入金通知受信手段と前記入金情報送受信手段に、直接または間接に通知する、情報流通システムである。
【００１３】
第２の本発明は、
さらに、前記購入者用装置は、出金に関する情報を受信する課金通知受信手段を有し、
前記仲介者用装置は、情報データのダウンロード回数に応じた各装置の入出金額を算出する課金分配手段と、所定のタイミングで、前記提供者用装置に対する入金に関する情報を前記入金通知受信手段に、前記著作権者用装置に対する入金に関する情報を前記入金情報送受信手段に、前記購入者用装置に対する出金に関する情報を前記課金通知受信手段に、それぞれ通知する制御手段とを有する、第１の本発明の情報流通システムである。
【００１４】
第３の本発明は、
前記入金通知受信手段と前記課金通知受信手段と前記入金情報送受信手段は、それぞれが、前記管理手段により通知された前記情報データに関する情報から前記所定のタイミングにおける入出金額を算出し、前記算出した入出金額と前記制御手段から通知された前記入金に関する情報または前記出金に関する情報とを照合する、第２の本発明の情報流通システムである。
【００１５】
第４の本発明は、
前記入金情報送受信手段は、前記著作権者用装置に対する入金に関する情報を前記制御手段から受信したタイミングで、ダウンロードが完了した場合に前記管理手段から直接または間接に受信した前記ダウンロードした情報データに関する情報を、前記提供者用管理手段に通知し、
前記提供者用管理手段は、前記入金情報送受信手段から受信した前記ダウンロードした情報データに関する情報を、前記制御手段から受信した前記提供者用装置に対する入金に関する情報と照合する、第２または第３の本発明の情報流通システムである。
【００１６】
第５の本発明は、
前記制御手段は、前記購入者用情報記録手段に情報データがダウンロードされる際に、前記情報データにコピーを防止するためのコピー制御情報を付加する、第２乃至第４のいずれかの本発明の情報流通システムである。
【００１７】
第６の本発明は、
さらに、前記仲介者用装置は、購入可能な情報データの情報を有する、前記購入者用装置から参照可能な提供情報データリストと、購入者が購入を希望している情報データの情報を有する、前記提供者用装置から参照可能な購入者リストとを有し、
前記購入者用装置は、購入を希望する情報データの情報を前記購入者リストに追加する登録手段を有する、第１乃至第５のいずれかの本発明の情報流通システムである。
【００１８】
第７の本発明は、
前記提供者用装置と前記購入者用装置と前記仲介者用装置と前記著作権者用装置とは、いずれもコンピュータであり、前記いずれのコンピュータにも情報流通システム用のソフトウェアがインストールされている、第１乃至第６のいずれかの本発明の情報流通システムである。
【００１９】
第８の本発明は、
前記提供者用装置と前記購入者用装置と前記仲介者用装置と前記著作権者用装置のコンピュータは、いずれもブラウザで動作する、第７の本発明の情報流通システムである。
【００２０】
第９の本発明は、
提供者用装置によって、提供する情報データをアップロードするステップと、
前記提供者用装置から提供される情報データを仲介者用情報記録手段に格納するステップと、
購入者用装置によって、購入する情報データを前記仲介者用情報記録手段からダウンロードするステップと、
前記ダウンロードした情報データを購入者用情報記録手段に格納するステップと、
著作権者用装置によって、入金に関する情報を受信するステップとを備え、
前記購入する情報データのダウンロードが完了した場合、前記ダウンロードした情報データに関する情報を、前記購入者用装置から前記提供者用装置と前記著作権者用装置に、直接または間接に通知する、情報流通管理方法である。
【００２１】
第１０の本発明は、
提供される情報データが提供者用装置からアップロードされて格納された仲介者用情報記録手段から、購入する情報データをダウンロードするダウンロード手段と、
前記ダウンロードした情報データを格納する購入者用情報記録手段とを備えた購入者用装置において、
前記購入する情報データのダウンロードが完了した場合、前記ダウンロードした情報データに関する情報を、前記提供者用装置と入金に関する情報を受信できる著作権者用装置とに、直接または間接に通知する管理手段を備えた購入者用装置である。
【００２２】
第１１の本発明は、
第１の本発明の、提供する情報データをアップロードする、提供者用装置の有するアップロード手段と、
購入する情報データをダウンロードする、購入者用装置の有するダウンロード手段と、
前記ダウンロードした情報データを格納する、前記購入者用装置の有する購入者用情報記録手段と、
前記提供者用装置から提供される情報データを格納する、仲介者用装置の有する仲介者用情報記録手段と、
前記提供者用装置に対する入金に関する情報を受信する、前記提供者用装置の有する入金通知受信手段と、
著作権者用装置に対する入金に関する情報を受信する、前記著作権者用装置の有する入金情報送受信手段と、
前記購入する情報データのダウンロードが完了した場合、前記ダウンロードした情報データに関する情報を、前記入金通知受信手段と前記入金情報送受信手段に、直接または間接に通知する、前記購入者用装置の有する管理手段として、コンピュータを機能させるためのプログラムである。
【００２３】
第１２の本発明は、
提供する情報データを格納する提供者用情報記録手段と、前記提供者用情報記録手段に格納された前記情報データのダウンロードの許可を受信する提供者用管理手段とを有する提供者用装置と、
情報データの購入要求を出す管理手段と、前記購入する情報データを前記提供者用管理手段からダウンロードするダウンロード手段と、前記ダウンロードした情報データを格納する購入者用情報記録手段とを有する購入者用装置と、
前記購入要求を受けて前記提供者用情報記録手段に格納された情報データのダウンロードの許可を出す制御手段を有する仲介者用装置と、
入金に関する情報を受信できる著作権者用装置とを備えた情報流通システムであって、
前記提供者用装置は、前記提供者用装置に対する入金に関する情報を受信する入金通知受信手段を有し、
前記著作権者用装置は、前記著作権者用装置に対する入金に関する情報を受信する入金情報送受信手段を有し、
前記購入する情報データのダウンロードが完了した場合、前記管理手段は、ダウンロードした情報データに関する情報を、前記入金通知受信手段と前記入金情報送受信手段に、直接または間接に通知する、情報流通システムである。
【００２４】
第１３の本発明は、
さらに、前記購入者用装置は、出金に関する情報を受信する課金通知受信手段を有し、
前記仲介者用装置は、情報データのダウンロード回数に応じた各装置の入出金額を算出する課金分配手段を有し、
前記制御手段は、所定のタイミングで、前記提供者用装置に対する入金に関する情報を前記入金通知受信手段に、前記著作権者用装置に対する入金に関する情報を前記入金情報送受信手段に、前記購入者用装置に対する出金に関する情報を前記課金通知受信手段に、それぞれ通知する、第１２の本発明の情報流通システムである。
【００２５】
第１４の本発明は、
前記入金通知受信手段と前記課金通知受信手段と前記入金情報送受信手段は、それぞれが、前記管理手段により通知された前記情報データに関する情報から前記所定のタイミングにおける入出金額を算出し、前記算出した入出金額と前記制御手段から通知された前記入金に関する情報または前記出金に関する情報とを照合する、第１３の本発明の情報流通システムである。
【００２６】
第１５の本発明は、
前記入金情報送受信手段は、前記著作権者用装置に対する入金に関する情報を前記制御手段から受信したタイミングで、ダウンロードが完了した場合に前記管理手段から直接または間接に受信した前記ダウンロードした情報データに関する情報を、前記提供者用管理手段に通知し、
前記提供者用管理手段は、前記入金情報送受信手段から受信した前記ダウンロードした情報データに関する情報を、前記提供者用情報記録手段からダウンロードされた情報データに関する、前記提供者用装置が独自で管理する情報と照合する、第１３または第１４の本発明の情報流通システムである。
【００２７】
第１６の本発明は、
前記提供者用管理手段は、前記購入者用情報記録手段に情報データがダウンロードされる際に、前記情報データにコピーを防止するためのコピー制御情報を付加する、第１２乃至１５のいずれかの本発明の情報流通システムである。
【００２８】
第１７の本発明は、
さらに、前記仲介者用装置は、購入可能な情報データの情報を有する、前記購入者用装置から参照可能な提供情報データリストと、購入者が購入を希望している情報データの情報を有する、前記提供者用装置から参照可能な購入者リストとを有し、
前記購入者用装置は、購入を希望する情報データの情報を前記購入者リストに追加する登録手段を有する、第１２乃至１６のいずれかの本発明の情報流通システムである。
【００２９】
第１８の本発明は、
前記提供者用装置と前記購入者用装置と前記仲介者用装置と前記著作権者用装置とは、いずれもコンピュータであり、前記いずれのコンピュータにも情報流通システム用のソフトウェアがインストールされている、第１２乃至１７のいずれかの本発明の情報流通システムである。
【００３０】
第１９の本発明は、
前記提供者用装置と前記購入者用装置と前記仲介者用装置と前記著作権者用装置のコンピュータは、いずれもブラウザで動作する、第１８の本発明の情報流通システムである。
【００３１】
第２０の本発明は、
提供される情報データを提供者用情報記録手段に格納するステップと、
購入者用装置によって、情報データの購入要求を仲介者用装置に出すステップと、
前記購入要求を受けて前記提供者用情報記録手段に格納された情報データのダウンロードの許可を提供者用装置に出すステップと、
前記提供者用情報記録手段に格納された情報データのダウンロードの許可を受信するステップと、
購入者用装置によって、前記購入する情報データをダウンロードするステップと、
前記ダウンロードした情報データを購入者用情報記録手段に格納するステップと、
著作権者用装置によって、入金に関する情報を受信するステップとを備え、
前記購入する情報データのダウンロードが完了した場合、前記ダウンロードした情報データに関する情報を、前記購入者用装置から前記提供者用装置と前記著作権者用装置に、直接または間接に通知する、情報流通管理方法である。
【００３２】
第２１の本発明は、
情報データの購入要求を仲介者用装置に出す管理手段と、
前記購入要求を受けて前記仲介者用装置から出される情報データのダウンロードの許可の提供者用装置による受信に応じて、提供される情報データが格納された提供者用情報記録手段から、前記購入する情報データをダウンロードするダウンロード手段と、
前記ダウンロードした情報データを格納する購入者用情報記録手段とを備えた購入者用装置において、
前記購入する情報データのダウンロードが完了した場合、前記ダウンロードした情報データに関する情報を、前記提供者用装置と入金に関する情報を受信できる著作権者用装置とに、直接または間接に通知する管理手段を備えた購入者用装置である。
【００３３】
第２２の本発明は、
第１２の本発明の、提供する情報データを格納する、提供者用装置の有する提供者用情報記録手段と、
前記提供者用情報記録手段に格納された前記情報データのダウンロードの許可を受信する、前記提供者用装置の有する提供者用管理手段と、
情報データの購入要求を出す、購入者用装置の有する管理手段と、
購入する情報データをダウンロードする、前記購入者用装置の有するダウンロード手段と、
前記ダウンロードした情報データを格納する、前記購入者用装置の有する購入者用情報記録手段と、
前記購入要求を受けて前記提供者用情報記録手段に格納された情報データのダウンロードの許可を出す、仲介者用装置の有する制御手段と、
前記提供者用装置に対する入金に関する情報を受信する、前記提供者用装置の有する入金通知受信手段と、
著作権者用装置に対する入金に関する情報を受信する、前記著作権者用装置の有する入金情報送受信手段と、
前記購入する情報データのダウンロードが完了した場合、ダウンロードした情報データに関する情報を、前記入金通知受信手段と前記入金情報送受信手段に、直接または間接に通知する、前記購入者用装置の有する管理手段として、コンピュータを機能させるためのプログラムである。
【００３４】
第２３の本発明は、
第１１または第２２の本発明のプログラムを担持した記録媒体であって、コンピュータで利用可能な記録媒体である。
【００３５】
【発明の実施の形態】
以下、本発明の実施の形態について図を用いて説明する。
【００３６】
（実施の形態１）
図１に、本実施の形態１の情報流通システムのブロック図を示す。
【００３７】
図１の一点鎖線で囲んだ部分が、購入者、仲介者、著作権者、提供者が有する装置を示しており、それぞれ、購入者用装置３０、仲介者用装置３１、著作権者用装置３２、提供者用装置３３である。これらは、いずれも記憶装置を備えたコンピュータである。そして、これらの装置は、ネットワーク２２で接続されている。
【００３８】
提供者の有する提供者用装置３３において、１は、仲介者用装置３１と通信するための通信手段である。２は、仲介者用装置３１に対して、本情報流通システムへの登録を行ったり、提供できる情報データを本情報流通システムに登録する提供者用登録手段である。３は、提供者が所有している情報データを格納している提供者用独立記憶手段である。提供者用独立記憶手段３は、他の装置からは参照できない、提供者用装置３３のローカルの記憶装置である。４は、仲介者用装置３１からの要求で、登録する情報データを提供者用独立記憶手段３からアップロードするアップロード手段である。５は、提供した情報データに対する情報提供料等の入金に関する情報を受け取る入金通知受信手段である。６は、提供者用登録手段２により登録される登録情報、情報データのアップロード回数、送金内容のチェック等の、一連の情報管理や制御を行う提供者用管理手段である。
【００３９】
購入者の有する購入者用装置３０において、７は、仲介者用装置３１と通信するための通信手段である。８は、仲介者用装置３１に対して、本情報流通システムへの登録を行ったり、要求する情報データに関する情報を本情報流通システムに登録する登録手段である。９は、仲介者用装置３１からの通知を受けて、要求している情報データをダウンロードするダウンロード手段である。１０は、ダウンロード手段９により入手した情報データを記録する購入者用情報記録手段である。１１は、要求して入手した情報データに対する情報料等の課金に関する情報を受け取る課金通知受信手段である。１２は、登録手段８により登録される登録情報、情報データのダウンロード回数、課金内容のチェック等の、一連の情報管理や制御を行う管理手段である。
【００４０】
著作権者の有する著作権者用装置３２において、１３は、仲介者用装置３１と通信するための通信手段である。１４は、本情報流通システムを流通する著作権を有する情報データに関する内容、および入金に関する情報を受け取る入金情報送受信手段である。
【００４１】
仲介者の有する仲介者用装置３１において、１５は、提供者用装置３３と購入者用装置３０と著作権者用装置３２と通信するための通信手段である。１６は、登録されている提供者を記録した提供者リストであり、１７は、登録されている購入者を記録した購入者リストであり、１８は、本システムを流通する情報データの著作権者を記録した著作権者リストである。２３は、提供者リスト１６を元に作成された、提供可能な情報データを載せた提供情報データリストであり、購入者が参照できるリストである。１９は、提供者用装置３３からアップロードされた情報データを格納する仲介者用情報記録手段である。２０は、購入者の入手した情報データに対する情報料を提供者と著作権者と仲介者で分配する課金分配手段である。２１は、提供者リスト１６と購入者リスト１７と著作権者リスト１８に基づき、情報データのやり取りの制御を行ったり、課金分配する等、一連の情報管理や制御を行う制御手段である。
【００４２】
２２は、提供者用装置３３と購入者用装置３０と著作権者用装置３２と仲介者用装置３１を結ぶネットワークである。
【００４３】
ここで、ネットワーク２２はイーサネット（登録商標）、光ファイバー、無線、同軸ケーブル等のＬＡＮやモデムによる接続であってもよい。また、通信手段１、７、１３、１５は、外部の接続が電話回線、ＡＤＳＬ、他のＤＳＬ、光ファイバーのＦＴＴＨ、ＣＡＴＶ、携帯電話やＰＨＳ等の無線、電灯線であってもかまわない。
【００４４】
また、購入者用情報記録手段１０は、ＤＶＤレコーダ、Ｂｌｕ−ｒａｙ  Ｄｉｓｃレコーダ、ハードディスクレコーダ、ビデオテープレコーダ、パソコン用記録ドライブ、ＳＤレコーダ、ＭＤレコーダ等の記録が可能な機器で実現される。そして、記録可能なメディアとして、ＤＶＤ−ＲＡＭ、ＤＶＤ−Ｒ、ＤＶＤ−ＲＷ、ＤＶＤ＋Ｒ、ＤＶＤ＋ＲＷ、Ｂｌｕ−ｒａｙ  Ｄｉｓｃ、Ｖｉｄｅｏ−ＣＤ等の光ディスク、ハードディスク、ＳＤカード、ＭＤ等の各種メモリーカード、Ｄ−ＶＨＳやＳ−ＶＨＳやＶＨＳやＤＶ等のビデオテープ等あらゆる記録媒体で実現される。
【００４５】
次に、図１〜図５および図７を参照しながら、本実施の形態１の情報流通システムの動作について説明する。
【００４６】
図２は提供者から見た本発明の情報流通システムのフロー図、図３は購入者から見た本発明の情報流通システムのフロー図、図４は仲介者から見た本発明の情報流通システムのフロー図である。本実施の形態１の情報流通システムは、提供される情報データを、仲介者用装置３１に置く構成としている。図２では、左側のステップ（Ｓ１０、Ｓ１１、Ｓ１２、Ｓ１３、Ｓ１５、Ｓ１６）が、本実施の形態１の情報流通システムのフローである。同様に、図４においても、左側のステップ（Ｓ３１、Ｓ３２、Ｓ３３、Ｓ３６）が、本実施の形態１の情報流通システムのフローである。
【００４７】
また、図５は、本実施の形態１の情報流通システムの各装置間のデータの流れを示す図、図７は購入者が希望する情報データが提供情報データリスト２３に無く、希望登録する場合の本実施の形態１の情報流通システムの各装置間のデータの流れを示す図である。
【００４８】
まず、仲介者はＷｅｂにより各種情報データの提供者と購入者を募集する。それととともに、仲介者、提供者、著作権者、購入者のそれぞれが有する各装置にインストールして使用する本情報流通システムのソフトウェアを、Ｗｅｂからダウンロードできるように、または配布用インストール記録媒体を準備する。
【００４９】
提供者は、仲介者のＷｅｂより本情報流通システムのソフトウェアを提供者用装置３３へダウンロードし、インストールする。インストール後、本情報流通システムのソフトウェアを起動し、提供者用登録手段２により、提供する情報データの名称、内容要約説明、容量、データ形式、デジタルからデジタルへやアナログからデジタルへとオリジナルからデータ変換された場合はその経緯、アナログのデータをデジタル変換依頼するかどうか、提供価格等を登録する。
【００５０】
このとき、本情報流通システムのソフトウェアをダウンロードする前に会員登録を行わないとダウンロードできないようにするか、提供者用登録手段２で登録する際に会員登録を行なわせるようにする。ここで登録する内容は、氏名、住所、郵便番号、電話番号、メールアドレス、入金用の銀行や郵便局の口座番号等の個人情報、連絡先情報、口座情報等である。会員になる条件として会費を徴収してもよい。また、会員登録を行うことで配布用インストール記録媒体を配達により送付して、上記と同様の登録を行わせることもできる。
【００５１】
提供者用登録手段２により登録されるデータは、登録有効管理をする提供者用管理手段６、通信手段１を介してネットワーク２２に接続され、仲介者用装置３１の通信手段１５を介して制御手段２１が一般的な認証手続きを行い、提供者リスト１６に登録される（Ｓ３１）。そして、制御手段２１は、提供者の登録が終了した時点でログインＩＤおよびパスワードを提供者用装置３３に通知する。
【００５２】
ここで、提供者リスト１６に登録される情報データに関する情報をデータベース化してもよいが、検索管理しやすいように別途情報データのデータベースリストとしてもよい。
【００５３】
仲介者は、提供者からの登録情報により著作権者を特定し、著作権者が存在する場合には、当該著作権者と交渉して本情報流通システムに参加してもらう。当該著作権者の了承を得られれば、本情報流通システムのソフトウェアを当該著作権者に配布し、著作権者用装置３２へインストールする。同時に、仲介者用装置３１の著作権者リスト１８へ、当該著作権者の情報を登録する（Ｓ３２）。ここで登録する内容は、氏名や名称、住所、郵便番号、電話番号、メールアドレス、入金用の銀行や郵便局の口座番号等の個人情報や団体情報、連絡先情報、口座情報等である。
【００５４】
購入者も提供者と同様に、仲介者のＷｅｂより本情報流通システムのソフトウェアを購入者用装置３０へダウンロードし、インストールする。
【００５５】
このとき、本情報流通システムのソフトウェアをダウンロードする前に、会員登録を行わないとダウンロードできないようにするか、登録手段８で登録する際に会員登録を行なわせるようにする。ここで登録する内容は、氏名、住所、郵便番号、電話番号、メールアドレス、入出金用口座番号やクレジットカード番号等の個人情報、連絡先情報、口座情報等である。会員になる条件として会費を徴収してもよい。また、会員登録を行うことで配布用インストール記録媒体を配達により送付し、上記と同様の登録を行わせることもできる。
【００５６】
登録手段８により登録されるデータは、登録有効管理をする管理手段１２、通信手段７を介してネットワーク２２に接続され、仲介者用装置３１の通信手段１５を介して制御手段２１が一般的な認証手続きを行い、購入者リスト１７に登録される（Ｓ３１）。そして、制御手段２１は、提供者の登録が終了した時点でログインＩＤおよびパスワードを購入者用装置３０に通知する。
【００５７】
購入者が情報データを購入する際は、提供情報データリスト２３から欲しいものを選択して購入手続きを行う（Ｓ２１）。しかし、購入したい情報データが提供情報データリスト２３にない場合は、本情報流通システムのソフトウェアを購入者用装置３０にインストール後、インストールしたソフトウェアを起動し、登録手段８により購入希望する情報データの名称、内容要約説明、データ形式、購入価格等を購入者リスト１７に登録して、仲介者からの購入希望の情報データ提供の有無や時期の応答を待ってもよい。そのとき、仲介者は購入が希望されている情報データに関する情報を、Ｗｅｂや登録会員等に提供依頼広告を出したり、著作権者がわかっている場合は当該著作権者に問い合わせ交渉したりしてもよい（Ｓ２２）。
【００５８】
ここで、購入者リスト１７に購入希望として登録される情報データに関する情報をデータベース化してもよいが、検索管理しやすいように別途情報データのデータベースリストとしてもよい。
【００５９】
以上が、本実施の形態１の情報流通システムを稼働させるための準備のステップであり、図２〜図４のフロー図に示すＳ１０のステップである。
【００６０】
上記の準備ができた後、提供者は、提供する情報データを仲介者用装置３１の仲介者用情報記録手段１９にアップロードする。その際、提供者は、提供する情報データの１コピー分の提供金額を入力して仲介者とやり取りをしてもよいし、まとまった提供金額により仲介者へ譲渡することもできる。
【００６１】
そして、１コピーの提供金額について仲介者と同意が取れ、仲介者から情報データ提供の要求があれば、仲介者用装置３１からの要求が制御手段２１から通信手段１５を介してネットワーク２２を経由し、通信手段１を介し提供者用管理手段６に渡され、認証が行われる。そして、アップロード手段４により提供者用独立記憶手段３の情報データは逆の経路をたどって制御手段２１から仲介者用情報記録手段１９へコピーされる。コピーが完了すると、提供者リスト１６に提供される情報データの情報が追加される（Ｓ１２、Ｓ３３）。またこの時、その提供される情報データの情報は、提供情報データリスト２３にも追加される。
【００６２】
その後、購入者が仲介者用装置３１の提供情報データリスト２３を参照して提供されている情報データの購入の申し込みをすれば、購入者用装置３０からの購入要求が管理手段１２から通信手段７を介してネットワーク２２を経由し、通信手段１５を介し制御手段２１に渡され、購入者リスト１７と照合されて認証が行われる。そして認証されれば、仲介者用情報記録手段１９に格納された購入される情報データが逆の経路をたどって管理手段１２から、ダウンロード手段９により購入者用情報記録手段１０へコピーされる（Ｓ２３）。
【００６３】
この時、違法コピーを防止するために、制御手段２１は購入された情報データにコピー制御情報を付加する（Ｓ２５）。コピー制御情報の付加を、仲介者用装置３１の制御手段２１で行わせることにより、コピー制御情報の付加という重要な部分を本情報流通システムの各装置に分散させることなく一元的に管理ができる。また、コピー制御情報が既に付加されたデータがネットワーク上に流れるため、セキュリティー上も有利である。
【００６４】
購入者用情報記録手段１０は、違法コピー防止のため仲介者指定の記録機器を指定することもできる。その接続機器認証は、一般的なプラグアンドプレイ等のしくみを利用することで、接続機器情報を入手してダウンロード手段９または管理手段１２で行わせることができ、通信により仲介者用装置３１の制御手段２１でリモートで行わせることもできる。
【００６５】
購入者用情報記録手段１０への情報データのダウンロードが完了すれば、管理手段１２は、ダウンロード回数を管理して、課金通知受信手段１１および仲介者用装置３１の制御手段２１へ通知する（Ｓ１３）。それとともに、仲介者用装置３１の制御手段２１は、提供者リスト１６、購入者リスト１７、著作権者リスト１８へ記録することで管理する。合わせて制御手段２１は、提供者用装置３３の入金通知受信手段５および著作権者用装置３２の入金情報送受信手段１４へもダウンロード回数を通知する（Ｓ２４）。
【００６６】
課金管理は、制御手段２１が、提供者リスト１６、購入者リスト１７、著作権者リスト１８から情報データのやり取り回数をもとに、課金分配手段２０であらかじめ決められた分配レートで計算する。そして制御手段２１は、月請求等の決められたタイミングで、課金通知受信手段１１、入金情報送受信手段１４、入金通知受信手段５のそれぞれに、各装置に対する入出金額を通知する（Ｓ１５、Ｓ２６、Ｓ３６）。このとき、制御手段２１からは、入出金額だけでなく、情報データの内容（名称等）、コピー単価、ダウンロード回数等も各装置に通知される。課金通知受信手段１１、入金情報送受信手段１４、入金通知受信手段５では、ダウンロード完了の際に通知されているダウンロード回数とコピー単価から算出した入出金額を実際の入出金額と比較することで、正しく流通が行われたかチェックすることができる（Ｓ１６、Ｓ２７）。
【００６７】
なお、本実施の形態１の情報流通システムでは、購入者用装置３０と提供者用装置３３と著作権者用装置３２は、それぞれが直接のデータのやり取りをしないシステムとしたが、必要に応じてこれらの装置間で直接のデータのやり取りができるシステムとしてもよい。例えば、次のような対応が可能となる。
【００６８】
本実施の形態１の情報流通システムでは、購入者用情報記録手段１０への情報データのダウンロード完了時の管理手段１２からのダウンロード回数の情報は、仲介者用装置３１を介して間接的に提供者用装置３３に通知されていたが、直接購入者用装置３０の管理手段１２から提供者用装置３３に通知するようにする。そして、月請求等の決められたタイミングで、制御手段２１から通知される情報に基づいて入出金額のチェックをする際、さらに次のような処理を行なう。著作権者用装置３２の入金情報送受信手段１４は、制御手段２１から著作権者用装置３２に対する入金額の通知を受けた後に、ダウンロード完了の際に制御手段２１から通知されているダウンロード回数を、提供者用装置３３の提供者用管理手段６に通知する。提供者用管理手段６は、その入金情報送受信手段１４から受信したダウンロード回数と、ダウンロード完了の際に管理手段１２から通知されているダウンロードに関する情報のうちの当該著作権者が著作権を有する情報データのダウンロード回数とを照合する。これにより、著作権者用装置３２の入金情報に関して、仲介者用装置３１からの情報のみによるチェックに加えて、購入者用装置３０から通知される情報も含めたチェックを提供者用装置３３で行うことができ、より信頼性の高いチェックを行うことができる。
【００６９】
また、本実施の形態１の情報流通システムでは、提供される情報データの仲介者用情報記録手段１９への格納を、提供者用装置３３からのアップロードにより格納することとしているが、必ずしもネットワーク２２を介して格納する必要は無い。例えば、提供者が提供する情報データを記録媒体に格納して仲介者に渡し、仲介者が直接その記録媒体から情報データを仲介者用装置３１の仲介者用情報記録手段１９に格納するような形態であってもよい。
【００７０】
また、違法コピーを防止するための情報データへのコピー制御情報の付加を、制御手段２１が行うこととしているが、制御手段２１からの指示により管理手段１２が行うようにしてもよい。
【００７１】
（実施の形態２）
図８に、本実施の形態２の情報流通システムのブロック図を示す。実施の形態１の情報流通システムとは、提供される情報データを格納する場所が異なる。実施の形態１と同じ機能については同じ符号を用い、実施の形態１と異なる点についてのみ説明する。
【００７２】
実施の形態１では、提供される情報データを仲介者用装置３１の仲介者用情報記録手段１９に置いていたが、本実施の形態２の場合は、仲介者用装置３１には置かず、図８に示す提供者用装置３３の提供者用情報記録手段２５に置いている。提供者用情報記録手段２５は、ネットワーク２２を介して、各装置から参照できる共有の記憶手段である。また、通信手段１および通信手段７は、実施の形態１においては仲介者用装置３１とのみ通信するための手段としたが、本実施の形態２においては、仲介者用装置３１に加えて、通信手段１は購入者用装置３０とも、通信手段７は提供者用装置１とも、お互いに通信することが可能である。
【００７３】
次に、図２〜４、図６および図８を参照しながら、本実施の形態２の情報流通システムの動作について説明する。
【００７４】
図２は提供者から見た本発明の情報流通システムのフロー図、図３は購入者から見た本発明の情報流通システムのフロー図、図４は仲介者から見た本発明の情報流通システムのフロー図である。本実施の形態２の情報流通システムは、提供される情報データを、提供者用装置３３に置く構成としている。図２では、右側のステップ（Ｓ１０、Ｓ１１、Ｓ１４、Ｓ１５、Ｓ１６）が、本実施の形態２の情報流通システムのフローである。同様に、図４においても、右側のステップ（Ｓ３１、Ｓ３２、Ｓ３４、Ｓ３５、Ｓ３６）が、本実施の形態２の情報流通システムのフローである。また、図６は、本実施の形態２の情報流通システムの各装置間のデータの流れを示す図である。
【００７５】
本実施の形態２の情報流通システムの各装置の準備までの動作（Ｓ１０の動作）は、実施の形態１と同様である。以下、各装置の準備以降の動作について説明する。
【００７６】
提供者が提供する情報データの１コピーの提供金額について、仲介者と提供者との同意が取れれば、制御手段２１は、「提供者用装置３３の提供者用情報記録手段２５にある」という接続情報とともに提供される情報データに関する情報を、提供者リスト１６に追加する。また、この提供される情報データに関する情報が提供情報データリスト２３にも追加される。ただし、接続情報は提供情報データリスト２３には追加されない。
【００７７】
その後、購入者が仲介者用装置３１の提供情報データリスト２３を参照して提供されている情報データの購入の申し込みをすれば、購入者の購入要求が管理手段１２から通信手段７を介してネットワーク２２を経由し、通信手段１５を介し、制御手段２１に渡され、購入者リスト１７と照合が取られ認証が行われる。そして認証されれば、制御手段２１は、提供者リスト１６にある提供者用装置３３の接続情報を管理手段１２に通知し、管理手段１２が提供者用装置３３の提供者用管理手段６に認証情報とともにアクセスする（Ｓ３４、Ｓ３５）。そして、提供者用情報記録手段２５に格納されている購入する情報データが、上記と逆の経路をたどって管理手段１２から、ダウンロード手段９により購入者用情報記録手段１０へコピーされる（Ｓ１４）。この時、違法コピーを防止するために、提供者用管理手段６が購入される情報データにコピー制御情報を付加して記録する。
【００７８】
また、入金受信手段５における、月請求等の決められたタイミングで、制御手段２１から通知される情報に基づいて行う入金額のチェックは、実施の形態１では、ダウンロード完了の際に制御手段２１から通知されているダウンロードに関する情報と照合していた。これに対し、本実施の形態２の場合は、購入者用装置３０からダウンロードされる情報データが提供者用装置３３の有する提供者用情報記録手段２５に格納されているため、実際にダウンロードされた回数を管理でき、その情報と照合する。これにより、提供者用装置３３においては、実施の形態１の場合よりもさらに信頼性の高いチェックを行うことができる。
【００７９】
上記以外は、実施の形態１の情報流通システムと同様の動作となる。
【００８０】
また、実施の形態１の場合と同様に、購入者用装置３０と提供者用装置３３と著作権者用装置３２が、必要に応じてこれらの装置間で直接のデータのやり取りができるシステムとしてもよい。例えば、次のような対応が可能となる。
【００８１】
月請求等の決められたタイミングで、制御手段２１から通知される情報に基づいて入出金額のチェックをする際、さらに次のような処理を行なう。著作権者用装置３２の入金情報送受信手段１４は、制御手段２１から著作権者用装置３２に対する入金額の通知を受けた後に、ダウンロード完了の際に制御手段２１から通知されているダウンロード回数を、提供者用装置３３の提供者用管理手段６に通知する。提供者用管理手段６は、その入金情報送受信手段１４から受信したダウンロード回数と、提供者用情報記録手段２５からダウンロードされた情報のうちの当該著作権者が著作権を有する情報データのダウンロード回数とを照合する。これにより、著作権者用装置３２の入金情報に関して、仲介者用装置３１からの情報のみによるチェックに加えて、提供者用装置３３が管理している情報も含めたチェックを提供者用装置３３で行うことができ、より信頼性の高いチェックを行うことができる。
【００８２】
なお、本実施の形態２の情報流通システムでは、違法コピーを防止するための情報データへのコピー制御情報の付加を、提供者用管理手段６が行うこととしたが、制御手段２１からの指示により管理手段１２が行うようにしてもよい。
【００８３】
また、実施の形態１と実施の形態２の構成を合わせ持った情報流通システムとし、提供する情報データを、仲介者用装置３１の仲介者用情報記録手段１９に置くか、提供者用装置３３の提供者用情報記録手段２５に置くかを、提供者が選択できるようにしてもよい。図２に示すＳ１１のステップは、この提供者による選択のステップを示している。
【００８４】
また、各実施の形態の情報流通システムの、提供情報データリスト２３は、提供者リスト１６を元に作成できるリストであり、必ずしも固定のリストとして備えておく必要は無く、必要時に動的に作成してもよい。
【００８５】
また、各実施の形態の情報流通システムのソフトウェアがバージョンアップされる場合、課金を扱うため本システムの利用者に対し自動バージョンアップも行う。
【００８６】
また、各実施の形態の情報流通システムは、Ｗｅｂのみで運用することもできる。この場合、利用者のコンピュータ環境に左右されず、Ｗｅｂブラウザさえ備えていれば本システムを利用することができ、本システムのソフトのバージョンアップ対応も不要である。
【００８７】
一方、提供者、購入者、著作権者において、本情報流通システムのソフトウェアをそれぞれの装置にインストールして実行させて運用し、Ｗｅｂのみで運用を行わない場合には、提供者と購入者間の情報データのやり取りにおいて、常時仲介者のＷｅｂが介在することがなく、仲介者のＷｅｂサーバの負荷を軽減でき、情報データのコピー速度を上げることができる。ここで、Ｗｅｂのみで運用を行わない場合とは、商品としての情報データの送受信において中身のデータの送受信は行わない場合であり、例えば、注文をＷｅｂで受けるとＤＶＤやＣＤ等のメディアに注文された情報データを書き込んで郵送し、情報流通システム上では単にデータ送信完了コマンド等で「既に送信済み」ということで処理する、という運用である。この場合、提供する情報データを格納しておくための、仲介者用情報記録手段１９や提供者用情報記録手段２５は無くてもよくなる。
【００８８】
また、情報記録手段１０がＣＤレコーダやＤＶＤレコーダやＢｌｕ−ｒａｙ  Ｄｉｓｃレコーダ等の光ディスクレコーダの場合、コピー制御がかかった光ディスクを自動的に作成することができる（コピーフリーは除く）。さらに、作成する記録メディアのディスク表面が印刷可能な場合、印字データもダウンロードすればプリンタによりディスク表面に印刷も可能となり、付属の印刷物も画像データとしてダウンロードすればプリンタで印刷可能となる。
【００８９】
なお、本発明のプログラムは、上述した本発明の情報流通システム、購入者用装置の全部または一部の手段の機能をコンピュータにより実行させるためのプログラムであって、コンピュータと協働して動作するプログラムである。
【００９０】
また、本発明の記録媒体は、上述した本発明の情報流通システム、購入者用装置の全部または一部の手段の全部または一部の機能をコンピュータにより実行させるためのプログラムを担持した記録媒体であり、コンピュータにより読み取り可能かつ、読み取られた前記プログラムが前記コンピュータと協働して利用される記録媒体である。
【００９１】
なお、本発明の上記「一部の手段」とは、それらの複数の手段の内の、一つ又は幾つかの手段を意味する。
【００９２】
また、本発明の上記「手段の機能」とは、前記手段の全部又は一部の機能を意味する。
【００９３】
また、本発明のプログラムの一利用形態は、コンピュータにより読み取り可能な記録媒体に記録され、コンピュータと協働して動作する態様であっても良い。
【００９４】
また、記録媒体としては、ＲＯＭ等が含まれ、伝送媒体としては、インターネット等の伝送媒体、光・電波・音波等が含まれる。
【００９５】
また、上述した本発明のコンピュータは、ＣＰＵ等の純然たるハードウェアに限らず、ファームウェアや、ＯＳ、更に周辺機器を含むものであっても良い。
【００９６】
なお、以上説明した様に、本発明の構成は、ソフトウェア的に実現しても良いし、ハードウェア的に実現しても良い。
【００９７】
以上のように本発明の情報流通システムは、コピー情報を付加して記録する情報記録手段によりコピー制御を自動的に管理することで高信頼の著作権保護を行うことができ、合法的に違法コピーの拡散を防止することの出来るという優れた効果を奏する。
【００９８】
また、本発明の情報流通システムは、登録手段による登録情報と単価と情報データのアップロード回数と送金内容のチェックの一連の情報管理や制御を行う管理手段と、提供者リストと購入者リストと著作権者リストから情報データのやり取りの制御を行いコピー回数の管理および課金分配する等、一連の情報管理や制御を行う制御手段により、コピー回数と課金を自動的に管理することで高信頼の著作権保護を行うことができる。そして、著作権者も本発明の情報流通システムに含めたことで、購入者、提供者、仲介者、著作権者すべてに利益があり、かつ合法的にニーズのある情報データを広く流通することの出来るという優れた効果を奏する。
【００９９】
また、本発明の情報流通システムは、ニーズの観点から、例えば一部のマニア層向けに相当するような、金額に関係なく入手したいような廃盤になったタイトルや個人が作成したコンテンツや個人が撮影録音した画像、映像、音声等の入手することができないものでも合法的に容易に入手することの出来るという優れた効果を奏する。
【０１００】
また、本発明の情報流通システムは、販売業者の観点から、製作販売するには採算の合わない情報データや生産中止とした廃盤になったタイトルに関しても、製作することなく流通させて利益を得ることが出来るという優れた効果を奏する。
【０１０１】
【発明の効果】
本発明は、高信頼の著作権保護を行いながら、情報データを合法的に流通させる、情報流通システム、情報流通管理方法および購入者用装置を提供できる。
【図面の簡単な説明】
【図１】本発明の実施の形態１における情報流通システムのブロック図
【図２】本発明の実施の形態１および実施の形態２における情報流通システムの提供者から見たフロー図
【図３】本発明の実施の形態１における情報流通システムの購入者から見たフロー図
【図４】本発明の実施の形態１および実施の形態２における情報流通システムの仲介者から見たフロー図
【図５】本発明の実施の形態１における各装置間のデータの流れを示す図
【図６】本発明の実施の形態２における各装置間のデータの流れを示す図
【図７】本発明の実施の形態１における各装置間のデータの流れを示す図
【図８】本発明の実施の形態２における情報流通システムのブロック図
【符号の説明】
１  通信手段
２  提供者用登録手段
３  提供者用独立記憶手段
４  アップロード手段
５  入金通知受信手段
６  提供者用管理手段
７  通信手段
８  登録手段
９  ダウンロード手段
１０  購入者用情報記録手段
１１  課金通知受信手段
１２  管理手段
１３  通信手段
１４  入金情報送受信手段
１５  通信手段
１６  提供者リスト
１７  購入者リスト
１８  著作権者リスト
１９  仲介者用情報記録手段
２０  課金分配手段
２１  制御手段
２２  ネットワーク
２３  提供情報データリスト
２５  提供者用情報記録手段
３０  購入者用装置
３１  仲介者用装置
３２  著作権者用装置
３３  提供者用装置
【図１】
2004341868.tif 000003
【図２】
2004341868.tif 000004
【図３】
2004341868.tif 000005
【図４】
2004341868.tif 000006
【図５】
2004341868.tif 000007
【図６】
2004341868.tif 000008
【図７】
2004341868.tif 000009
【図８】
2004341868.tif 000010